【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
内部に流体が存在する配管構造からの流体の漏洩を検知する方法であって、
前記配管構造における所定の区間に亘り、前記配管構造とは絶縁されている導電性フィルムにより前記配管構造の外周部が予め覆われており、
前記区間の一端および他端に相当する前記導電性フィルムの両端部の間の電気抵抗を監視するステップと、
前記導電性フィルムの変形あるいは破断に起因して変化した前記電気抵抗が、所定の基準値から逸脱していることに基づいて前記区間における流体漏洩を検知するステップと、を含む、
ことを特徴とする流体漏洩検知方法。
【請求項２】
内部に流体が存在する配管構造からの流体の漏洩を検知する方法であって、
前記配管構造における所定の区間に亘り、前記配管構造とは絶縁されている導電性フィルムにより前記配管構造の外周部が予め覆われ、前記区間の一端に相当する前記導電性フィルムの一端部が前記配管構造に接続されており、
前記区間の他方に相当する前記導電性フィルムの他端部が、一定の電気抵抗値を有する一定抵抗に直列に接続されることで、前記配管構造、前記導電性フィルム、および前記一定抵抗を含む電気回路が形成されており、
前記一定抵抗による電圧降下を監視するステップと、
前記導電性フィルムの変形あるいは破断に起因して変化した前記電圧降下に相当する電位差が、所定の基準値から逸脱していることに基づいて前記区間における流体漏洩を検知するステップと、を含む、
ことを特徴とする流体漏洩検知方法。
【請求項３】
複数の前記区間が前記配管構造に設定されており、
前記複数の区間のそれぞれに亘り、前記配管構造の前記外周部が前記導電性フィルムにより覆われており、
前記区間毎に、流体漏洩を検知する、
請求項１または２に記載の流体漏洩検知方法。
【請求項４】
前記配管構造の前記外周部と前記導電性フィルムとは、
前記外周部と前記導電性フィルムとの間に介在する非導電性フィルムにより絶縁されている、
請求項１から３のいずれか一項に記載の流体漏洩検知方法。
【請求項５】
前記流体は、冷媒である、
請求項１から４のいずれか一項に記載の流体漏洩検知方法。
【請求項６】
内部からの流体の漏洩を検知可能に構成された配管構造であって、
前記配管構造における所定の区間に亘り、前記配管構造とは絶縁された状態で前記配管構造の外周部を覆っている導電性フィルムと、
前記区間の一端および他端に相当する前記導電性フィルムの両端部の間の電気抵抗を計測する電気抵抗計測部と、
前記電気抵抗が所定の基準値から逸脱していることに基づいて、前記区間における流体漏洩を検知する漏洩検知部と、を備え、
流体漏洩時には、
前記導電性フィルムの変形あるいは破断に起因して変化し、前記基準値から逸脱した前記電気抵抗が前記電気抵抗計測部により計測される、
ことを特徴とする配管構造。
【請求項７】
内部からの流体の漏洩を検知可能に構成された配管構造であって、
前記配管構造における所定の区間に亘り、前記配管構造とは絶縁された状態で前記配管構造の外周部を覆い、前記区間の一端に相当する一端部が前記配管構造に接続される導電性フィルムと、
一定の電気抵抗値を有し、前記区間の他方に相当する前記導電性フィルムの他端部に直列に接続され、前記導電性フィルムおよび前記配管構造と共に電気回路を構成する一定抵抗と、
前記一定抵抗による電圧降下に相当する電位差を計測する電位差計測部と、
前記電位差が所定の基準値から逸脱していることに基づいて、前記区間における流体漏洩を検知する漏洩検知部と、を備え、
流体漏洩時には、
前記導電性フィルムの変形あるいは破断に起因して変化し、前記基準値から逸脱した前記電位差が前記電位差計測部により計測される、
ことを特徴とする配管構造。
【請求項８】
前記配管構造には、複数の前記区間が設定され、
前記複数の区間のそれぞれに亘り、前記配管構造の前記外周部が前記導電性フィルムにより覆われ、
前記漏洩検知部は、前記区間毎に、流体漏洩を検知する、
請求項６または７に記載の配管構造。
【請求項９】
前記配管構造の前記外周部と前記導電性フィルムとは、
前記外周部と前記導電性フィルムとの間に介在する非導電性フィルムにより絶縁されている、
請求項６から８のいずれか一項に記載の配管構造。
【請求項１０】
前記流体は、冷媒である、
請求項６から９のいずれか一項に記載の配管構造。
【請求項１１】
配管構造の内部からの流体の漏洩を検知可能に前記配管構造を構成する施工方法であって、
前記配管構造における所定の区間に亘り、前記配管構造とは絶縁された状態に導電性フィルムを設け、前記導電性フィルムにより前記配管構造の外周部を覆うステップと、
前記区間の一端および他端に相当する前記導電性フィルムの両端部にそれぞれ配線を設け、前記両端部の間の電気抵抗を計測可能な電気回路を形成するステップと、を含み、
前記導電性フィルムの前記両端部の間の前記電気抵抗が、前記導電性フィルムの変形あるいは破断に起因して変化し、所定の基準値から逸脱していることに基づいて、前記区間における流体漏洩を検知可能に構成する、
ことを特徴とする施工方法。
【請求項１２】
配管構造の内部からの流体の漏洩を検知可能に前記配管構造を構成する施工方法であって、
前記配管構造における所定の区間に亘り、前記配管構造とは絶縁された状態に導電性フィルムを設け、前記導電性フィルムにより前記配管構造の外周部を覆うステップと、
前記区間の一端に相当する前記導電性フィルムの一端部を前記配管構造に接続するステップと、
前記導電性フィルムの他端部に、一定の電気抵抗値を有する一定抵抗を直列に接続し、前記配管構造、前記導電性フィルム、および前記一定抵抗を含む電気回路を形成するステップと、
前記一定抵抗による電圧降下に相当する電位差が、前記導電性フィルムの変形あるいは破断に起因して変化し、所定の基準値から逸脱していることに基づいて、前記区間における流体漏洩を検知可能に構成する、
ことを特徴とする施工方法。
【請求項１３】
前記導電性フィルムにより前記配管構造の前記外周部を覆うステップに先立ち、
前記外周部を非導電性フィルムにより覆うステップを含む、
請求項１１または１２に記載の施工方法。
【請求項１４】
前記導電性フィルムにより前記配管構造の前記外周部を覆うステップでは、
前記区間の長さに適合しかつ前記配管構造を全周に亘り包囲可能なサイズに予め形成されたフィルム積層体を使用し、
前記フィルム積層体は、前記導電性フィルムと、
前記導電性フィルムに積層されて前記導電性フィルムと前記外周部とを絶縁する非導電性フィルムと、を有する、
請求項１１または１２に記載の施工方法。
【請求項１５】
前記配管構造に、複数の前記区間を設定し、
前記区間毎に、前記配管構造の前記外周部を前記導電性フィルムにより覆うステップを実施する、
請求項１１から１４のいずれか一項に記載の施工方法。
【手続補正２】
【補正対象書類名】明細書
【補正対象項目名】０００６
【補正方法】変更
【補正の内容】
【０００６】
本発明は、内部に流体が存在する配管構造からの流体の漏洩を検知する方法であって、配管構造における所定の区間に亘り、配管構造とは絶縁されている導電性フィルムにより配管構造の外周部が予め覆われており、区間の一端および他端に相当する導電性フィルムの両端部の間の電気抵抗を監視するステップと、導電性フィルムの変形あるいは破断に起因して変化した電気抵抗が、所定の基準値から逸脱していることに基づいて区間における流体漏洩を検知するステップと、を含むことを特徴とする。
【手続補正３】
【補正対象書類名】明細書
【補正対象項目名】０００７
【補正方法】変更
【補正の内容】
【０００７】
また、本発明は、内部に流体が存在する配管構造からの流体の漏洩を検知する方法であって、配管構造における所定の区間に亘り、配管構造とは絶縁されている導電性フィルムにより配管構造の外周部が予め覆われ、区間の一端に相当する導電性フィルムの一端部が配管構造に接続されており、区間の他方に相当する導電性フィルムの他端部が、一定の電気抵抗値を有する一定抵抗に直列に接続されることで、配管構造、導電性フィルム、および一定抵抗を含む電気回路が形成されており、一定抵抗による電圧降下を監視するステップと、導電性フィルムの変形あるいは破断に起因して変化した電圧降下に相当する電位差が、所定の基準値から逸脱していることに基づいて区間における流体漏洩を検知するステップと、を含むことを特徴とする。